(57)【要約】【課題】利用者が開閉部を取り外し易く、且つ開閉部を取出口に対して再配置し易いウェットティシュ容器を提供すること。【解決手段】フィルム状部材で袋状に形成されていると共にその内部に折り畳まれた複数のウェットティシュを収容する容器本体１１０と、容器本体内に収容されたウェットティシュを取り出すために容器本体に形成された取出口１１１と、取出口を覆うように配置されると共に容器本体に対して着脱可能な接着層１２１ａを有する開閉部１２０と、を有し、開閉部は、接着層の配置領域である開閉部本体１２２と、開閉部本体の長手方向の両端側に形成される接着層の非配置領域である保持部１２３ａ等と、を有し、開閉部本体のそれぞれの保持部側には、それぞれ開閉案内部１２４ａ等が形成され、開閉部本体の一方の保持部側には開閉部の剥離を止める剥離防止部１３０ａ等が形成されているウェットティシュ容器１００。【選択図】図２
2005178844.tif 000002
【特許請求の範囲】
【請求項１】
フィルム状部材で袋状に形成されていると共に、その内部に折り畳まれた複数のウェットティシュを収容する容器本体と、
前記容器本体内に収容されたウェットティシュを取り出すために前記容器本体に形成された取出口と、
前記取出口を覆うように配置されると共に、前記容器本体に対して着脱可能な接着層を有する開閉部と、を有するウェットティシュ容器であって、
前記開閉部は、前記接着層の配置領域である開閉部本体と、
前記開閉部本体の長手方向の両端側に形成される接着層の非配置領域である保持部と、を有し、
前記開閉部本体のそれぞれの前記保持部側には、それぞれ開閉案内部が形成され、
前記開閉部本体の一方の前記保持部側には前記開閉部の剥離を止める剥離防止部が形成されていることを特徴とするウェットティシュ容器。
【請求項２】
前記剥離防止部の終端側には、剥離力回避部が形成され、
前記剥離力回避部は、前記開閉部本体のうち前記容器本体の前記取出口に相当する取出口相当部と前記一方の保持部との間の領域に形成されていることを特徴とする請求項１に記載のウェットティシュ容器。
【請求項３】
前記剥離防止部は、切り込みで形成されると共に、本体スリット部を有し、
前記剥離力回避部が回避スリット部で形成され、
前記回避スリット部が湾曲形状と成り、前記回避スリット部の終端部が前記本体スリット部に向かって臨むように配置されていることを特徴とする請求項１又は請求項２に記載のウェットティシュ容器。
【請求項４】
前記容器本体上及び／又は前記開閉部には、前記開閉部の両側の前記保持部を各々利用者に対して左右に配置するための標識部が形成され、
前記標識部は両側の前記保持部を結んだ左右仮想線に直交する上下仮想線おいて上下を識別する構成となっており、
前記識別部の上下方向に合わせて前記容器本体及び／又は前記開閉部を配置したときに、前記他方の保持部が利用者の左側に配置される構成となっていることを特徴とする請求項１乃至請求項３のいずれかに記載のウェットティシュ容器。
【請求項５】
フィルム状部材で袋状に形成されていると共に、その内部に折り畳まれた複数のウェットティシュを収容する容器本体と、
前記容器本体内に収容されたウェットティシュを取り出すために前記容器本体に形成された取出口と、
前記取出口を覆うように配置されると共に、前記容器本体に対して着脱可能な接着層を有する開閉部と、を有するウェットティシュ容器であって、
前記開閉部は、前記接着層の配置領域である開閉部本体と、
前記開閉部本体の長手方向の一端側に形成される接着層の非配置領域である第１の保持部と、を有し、
前記開閉部本体の前記第１の保持部側には、開閉案内部が形成され、
前記開閉部本体の長手方向の他端側には、前記第１の保持部からの前記開閉部の剥離を止める剥離防止部が形成され、
前記開閉部本体の他端側には、前記第１の保持部から前記剥離防止部にかけて形成される剥離方向と交わる方向の剥離方向を形成するように前記接着層の非配置領域である第２の保持部を形成されていることを特徴とするウェットティシュ容器。
【発明の詳細な説明】
【技術分野】
【０００１】
本発明は、ウェットティシュを収容するウェットティシュ容器に関するものである。
【背景技術】
【０００２】
従来より、ハードケースであるウェットティシュ容器（以下、「ハードタイプ容器」）内には、袋状とされた軟包材等からなる詰替用のソフトケースであるウェットティシュ容器（以下「ソフトタイプ容器」）が配置されている（例えば、特許文献１）。
例えば、特許文献１の図１には、ハードタイプ容器として密封容器１０が、ソフトタイプ容器として包装袋１が開示されている。同図１に示すように、包装袋１は密封容器１０内に詰替用として収容され、包装袋１内のウェットティシュを使用し終わったときは、新しい包装袋１と取り替える構成となっている。
【０００３】
包装袋１は、同図１に示すようにウェットティシュを内部に収容する封入袋２を有し、封入袋２には、封入袋２内のウェットティシュを取り出すための取出口３が形成されている。そして、この取出口３を開閉可能にするためのラベル状の開閉部４Ａが封入袋２に配置されている。開閉部４Ａは、同図２に示すように、包装袋１を密封容器１０内に収容したときに取り外すように構成されている。
一方、包装袋１は、密封容器１０内に収容されることなく、それ自体が単独で利用されることがある。すなわち、ウェットティシュ容器を携帯用とする場合、密閉容器１０単位では嵩張りすぎて持ち運び難いという問題があった。そこで、密封容器１０を使用せず、包装袋１を単体で持ち運ぶようにしたものである。包装袋１は、密閉容器１０より小さく、軟包材等で形成されているので持ち運び易いという利点がある。
そこで、包装袋１を単独で使用する場合には、開閉部４Ａによって繰り返して取出口３を開閉でき、密封容器１０内に収容して使用する場合には、開閉部４Ａを除去用ミシン目４Ｅで切断して取出口３を開放するよう、選択的に使用できる構成とされている。
【０００４】
【特許文献１】実開平７−６１８４号公報
【発明の開示】
【発明が解決しようとする課題】
【０００５】
しかし、除去用ミシン目４Ｅによって開閉部４Ａを取り外すよう構成した場合、包装袋１を単独で使用する際に、開閉部４Ａの操作を誤ると除去用ミシン目４Ｅで開閉部４Ａを切断してしまう恐れがあり、切断された開閉部４Ａによって繰り返し開閉を行おうとすると、取出口３に対して適正な位置で閉止することができず、密閉ができなくなってしまうという問題があった。
【課題を解決するための手段】
【０００６】
前記課題は、請求項１の発明によれば、フィルム状部材で袋状に形成されていると共に、その内部に折り畳まれた複数のウェットティシュを収容する容器本体と、前記容器本体内に収容されたウェットティシュを取り出すために前記容器本体に形成された取出口と、前記取出口を覆うように配置されると共に、前記容器本体に対して着脱可能な接着層を有する開閉部と、を有するウェットティシュ容器であって、前記開閉部は、前記接着層の配置領域である開閉部本体と、前記開閉部本体の長手方向の両端側に形成される接着層の非配置領域である保持部と、を有し、前記開閉部本体のそれぞれの前記保持部側には、それぞれ開閉案内部が形成され、前記開閉部本体の一方の前記保持部側には前記開閉部の剥離を止める剥離防止部が形成されていることを特徴とするウェットティシュ容器により達成される。
【０００７】
請求項１の構成によれば、前記開閉部本体の一方の前記保持部側には前記開閉部の剥離を止める剥離防止部が形成されている。このため、利用者が前記開閉部を前記容器本体から完全に取り外す必要があるときは、この剥離防止部が形成されている側の前記一方の前記保持部を利用者が保持し、前記開閉部を前記容器本体から離間する方向に移動させることで、前記剥離防止部が機能することなく、円滑に前記開閉部を取り外すことができる。
一方、利用者が前記開閉部を完全に剥離させずに、ウェットティシュを取り出した後、再び前記開閉部で前記取出口に蓋をする必要があるときは、利用者は、前記一方の反対側に配置される他方の前記保持部を保持し、前記開閉部を前記容器本体から離間する方向に移動させる。
このとき、利用者が保持している前記他方の前記保持部の反対側である前記一方の前記保持部側に形成されている前記剥離防止部が機能し、前記開閉部の剥離が止まる。これにより、この剥離防止部と前記一方の保持部との間の剥離が行われず、前記開閉部はその一部が前記容器本体に接続された状態となる。
その後、利用者が前記容器本体内のウェットティシュを前記取出口から取り出して、再び、前記開閉部で前記取出口に蓋をするとき、前記開閉部の一部が剥離されず接続されているため、前記開閉部を精度良く前記取出口に対して元の位置に戻すことができる。すなわち、前記開閉部を前記取出口に対して正確に位置決めすることができる。
しかも各保持部が異なる位置に配置され、しかも剥離防止部が視認できる構成とされているため、誤って前記開閉部を取り外してしまう恐れがない。
したがって、利用者は前記開閉部を取り外し易く、且つ前記取出口に前記開閉部を再配置し易いウェットティシュ容器となっている。
【０００８】
また、請求項１の構成によれば、前記開閉部本体の長手方向の両端側に接着層の非配置領域である保持部を配置し、前記開閉部本体のそれぞれの前記保持部側には、それぞれ開閉案内部が形成されている。このため、利用者が前記開閉部を剥離する際に、この保持部を保持するとき接着層を直接保持することがないので、保持し易い構成となっている。
また、前記保持部を保持して前記開閉部の剥離を始める段階において、前記容器本体と前記開閉部とが接着している接着面積が大きいと剥離させ難い。しかし、請求項１の構成では前記開閉案内部が形成されているので、この開閉案内部に沿って剥離させ易い構成となっている。
この開閉案内部は前記保持部から前記開閉部本体との間で応力が集中する部分を形成しない構成となっている。
なお、前記取出口は、あらかじめ前記容器本体に形成されていてもよいが、使用開始前おける密閉度を高めるために、取出口の形状に溝やミシン目等による脆弱線を形成し、前記開閉部を開く際に前記接着層によって脆弱線が破断される事で取出口が形成されるよう構成されていてもよい。
【０００９】
好ましくは、請求項２の発明によれば、請求項１の構成において、前記剥離防止部の終端側には、剥離力回避部が形成され、前記剥離力回避部は、前記開閉部本体のうち前記容器本体の前記取出口に相当する取出口相当部と前記一方の保持部との間の領域に形成されていることを特徴とするウェットティシュ容器である。
【００１０】
請求項２の構成によれば、前記剥離防止部の終端側には、剥離力回避部が形成され、前記剥離力回避部は、前記開閉部本体のうち前記容器本体の前記取出口に相当する取出口相当部と前記一方の保持部との間の領域に形成されている。
利用者が前記開閉部を保持して剥離する際に、前記剥離防止部に力が加わり前記開閉部の一部等を切断等するおそれがある。しかし、請求項２の構成では、前記剥離防止部の終端側に前記剥離力回避部が形成されているので、剥離に際し加えられた力は分散され、前記開閉部の一部を切断等させることを未然に防ぐことができる。したがって、前記開閉部を長く使用することができる。
【００１１】
好ましくは、請求項３の発明によれば、請求項１又は請求項２の構成において、前記剥離防止部は、切り込みで形成されると共に、本体スリット部を有し、前記剥離力回避部が回避スリット部で形成され、前記回避スリット部が湾曲形状と成り、前記回避スリット部の終端部が前記本体スリット部に向かって臨むように配置されていることを特徴とするウェットティシュ容器である。
【００１２】
請求項３の構成によれば、前記剥離防止部が切り込みで形成されているので、利用者が操作した際に誤って剥れてしまうことを確実に防げるだけでなく、ウェットティシュ容器製造時の廃棄部が生ぜず、製造効率を高めることができる。
また、利用者が前記開閉部を取り外す際に、前記剥離防止部が形成されている側の前記一方の前記保持部を利用者が保持し、前記開閉部を前記容器本体から離間する方向に移動させると、切り込みで成る前記剥離防止部から裂けてしまい、例えば取出口上の開閉部本体の一部が剥離されず前記容器本体上に残るおそれがある。
しかし、前記剥離力回避部が回避スリット部で形成され、前記回避スリット部が湾曲形状と成り、前記回避スリット部の終端部が前記本体スリット部に向かって臨むように配置されていると、前記回避スリット部の終端部から裂けた場合でも、終端部から前記本体スリット部を結ぶように裂けるため、これら回避スリット部と本体スリット部で囲まれた部分のみが、前記容器本体上に残ることになる。
したがって、予め前記容器本体上に残る部分を特定することができ、予想外に大きく前記容器本体上に残り、その後のウェットティシュ容器の使用の妨げとなることを未然に防ぐことができる。
【００１３】
好ましくは、請求項４の発明によれば、請求項１乃至請求項３のいずれかの構成において、前記容器本体上及び／又は前記開閉部には、前記開閉部の両側の前記保持部を各々利用者に対して左右に配置するための標識部が形成され、前記標識部は両側の前記保持部を結んだ左右仮想線に直交する上下仮想線おいて上下を識別する構成となっており、前記識別部の上下方向に合わせて前記容器本体及び／又は前記開閉部を配置したときに、前記他方の保持部が利用者の左側に配置される構成となっていることを特徴とするウェットティシュ容器である。
【００１４】
請求項４の構成によれば、前記識別部の上下方向に合わせて前記容器本体を配置したときに、前記一方の保持部が利用者の右側に配置される構成となっている。このため、利用者のうち、最も多い右利きの利用者にとって、繰り返し開閉し蓋として使用するための前記他方の保持部が左側に配置される。
したがって、利用者が右手で前記他方の前記保持部を例えば、人差し指と親指で把持して操作すると、前記開閉部を利用者の左側から右側に向かって操作することとなり操作し易い。また、前記開閉部を前記容器本体から剥離させて前記取出口を開状態とした際に、利用者が左手でウェットティシュを取り出し易い構成となっている。
【００１５】
また、利用者は前記開閉部を前記容器本体から取り外すときは、利用者は右手で前記容器本体を把持して、左手で前記一方の保持部を把持して右側から左側に向かって操作することで、前記開閉部を前記容器本体から取り外し易い構成となっている。
また、このように前記開閉部の取り外しか、若しくは繰り返し開閉し蓋として使用するか、によって前記識別部によって上下方向を規定した際に配置される各保持部の方向が特定されるため、例えば、蓋として使用する際に誤って前記開閉部を取り外す等の間違いを未然に防ぐことができる。
【００１６】
前記課題は、請求項５の発明によれば、フィルム状部材で袋状に形成されていると共に、その内部に折り畳まれた複数のウェットティシュを収容する容器本体と、前記容器本体内に収容されたウェットティシュを取り出すために前記容器本体に形成された取出口と、前記取出口を覆うように配置されると共に、前記容器本体に対して着脱可能な接着層を有する開閉部と、を有するウェットティシュ容器であって、前記開閉部は、前記接着層の配置領域である開閉部本体と、前記開閉部本体の長手方向の一端側に形成される接着層の非配置領域である第１の保持部と、を有し、前記開閉部本体の前記第１の保持部側には、開閉案内部が形成され、前記開閉部本体の長手方向の他端側には、前記第１の保持部からの前記開閉部の剥離を止める剥離防止部が形成され、前記開閉部本体の他端側には、前記第１の保持部から前記剥離防止部にかけて形成される剥離方向と交わる方向の剥離方向を形成するように前記接着層の非配置領域である第２の保持部を形成されていることを特徴とするウェットティシュ容器により達成される。
【００１７】
請求項５の構成によれば、ウェットティシュ容器は、前記開閉部本体の長手方向の一端側に形成される接着層の非配置領域である第１の保持部を有し、前記開閉部本体の長手方向の他端側には、前記開閉部の剥離を止める剥離防止部が形成されている。このため、請求項１と同様に、利用者は、前記取出口に前記開閉部を再配置し易いウェットティシュ容器となっている。
また、前記開閉部本体の長手方向の他端側には、前記第１の保持部からの前記開閉部の剥離を止める剥離防止部が形成され、前記開閉部本体の他端側には、前記第１の保持部から前記剥離防止部にかけて形成される剥離方向と交わる方向の剥離方向を形成するように前記接着層の非配置領域である第２の保持部を形成されている。
このため、利用者が第２の保持部を保持して前記開閉部を前記容器本体から取り外す際は、前記第１の保持部の剥離方向と一致しないため、前記剥離防止部によって前記開閉部の取り外しが妨げられることなく円滑に前記開閉部を取り外すことができる。しかも各保持部が異なる角度に配置されており、誤って前記開閉部を取り外してしまう恐れがない。
【発明の効果】
【００１８】
本発明は、以上の点に鑑み、利用者が前記開閉部を取り外し易く、且つ前記開閉部を前記取出口に対して再配置し易いウェットティシュ容器を提供することができる。
【発明を実施するための最良の形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
（第１の実施の形態）
図１は、本発明の第１の実施の形態に係るウェットティシュ容器１００を示す概略斜視図であり、図２は、図１のウェットティシュ容器１００の概略平面図である。図３はウェットティシュ容器１００を示す他の概略斜視図である。
図１に示すようにウェットティシュ容器１００は、フィルム状部材で袋状に形成されている容器本体１１０を有している。容器本体１１０内には、折り畳まれた複数のウェットティシュが例えばポップアップ方式等で積層して配置されている。ウェットティシュは例えば、略長方形の不織布等に所定の薬液等が含浸されて形成されている。
【００２１】
また、図１及び図３に示すように、容器本体１１０の平面側には、容器本体１１０内に収容されたウェットティシュを取り出すための取出口１１１が形成されている。そして、取出口１１１を覆うように開閉部である例えば、ラベル１２０が配置されている。このラベル１２０は、容器本体１１０と同様にフィルム状部材で形成されると共に、その取出口１１１と対向する内側面１２１には、容器本体１１０に対して脱着可能な接着層１２１ａが形成されている。なお、この接着層１２１ａはラベル１２０側ではなく、ラベル１２０の形状に対応して容器本体１１０側に設けられていてもよい。
なお、図３に示すように、本実施の形態では、取出口１１１は容器本体１１０にはあらかじめ形成されておらず、容器本体１１０に取出口１１１の形状に溝状やミシン目等の脆弱部をあらかじめ形成し、その上面にラベル１２０が接着されるよう構成されて、利用者が初めてラベル１２０を開封する際に、容器本体の脆弱部が切断され、取出口１１１が形成されるよう構成されていることで、流通時等の未開封時における密閉力を高めると共に、繰り返してラベル１２０を開閉して使用する際に取出口１１１に露出したウェットティシュに接着層１２１ａが接触しないよう構成されている。
なお、取出口１１１をあらかじめ形成し、取出口１１１に対応したラベル１２０の内面における接着剤を設けないよう構成してもよい。
【００２２】
ラベル１２０は、接着層１２１ａの配置領域に対応した開閉部本体である例えばラベル本体１２２を有している。具体的には、ラベル本体１２２は図１の斜線部分である。このラベル本体１２２の図３の内側面１２１には接着層１２１ａが形成されている。すなわち、ラベル本体１２２が容器本体１１０の平面に対して、繰り返し接着と剥離を繰り返せる構成となっている。具体的には、接着層１２１ａとしては例えばスチレン／ブタジエン系接着剤やポリオレフィン系接着剤、ポリアクリル酸系接着剤等による、繰り返し開閉可能な接着剤層が用いられる。
また、図１のラベル本体１２２の長手方向である矢印Ｘ方向の両端側には、保持部である例えば、取り外し用つまみ部として機能するつまみ部１２３ａと、繰り返し開閉用つまみ部として機能するつまみ部１２３ｂがラベル本体１２２と連接して形成されている。このつまみ部部１２３ａ、１２３ｂは、図１及び図３に示すように内側面１２１に接着層１２１ａが形成されていない非配置領域となっている。
したがって、ウェットティシュ容器１００を利用する利用者がラベル１２０を容器本体１１０から剥がす際に、つまみ部１２３ａ、１２３ｂをつまむことで剥がし易い構成となっている。また、つまみ部１２３ａ、１２３ｂの内側面１２１には接着層１２１ａが形成されていないので、利用者が指等が接着層１２１ａに直接触れることがないので、利用者が指等でつまみ易い構成となっている。
【００２３】
また、図１に示すようにラベル本体１２２の両側のつまみ部１２３ａ、１２３ｂ側には、それぞれ開閉案内部である例えば、傾斜部１２４ａ、１２４ｂが形成されている。傾斜部１２４ａ、１２４ｂはつまみ部１２３ａ、１２３ｂの基部からラベル本体１２２とを略直線で結ぶ構成と成っており、平面視した状態では略台形となっている。
このように傾斜部１２４ａ、１２４ｂが形成されているため、利用者がつまみ部１２３ａ、１２３ｂをつまんでラベル１２０を剥がし易い構成となっている。すなわち、つまみ部１２３ａ、１２３ｂをつまんでラベル１２０を剥がし始めるときに、ラベル１２０のラベル本体１２２の接着層１２１ａの広い面積が容器本体１１０に接着している、つまみ部１２３ａ、１２３ｂからラベル本体１２２に伝わる、剥がそうとする力に対向する接着力が強く作用し、つまみ部１２３ａ、１２３ｂとラベル本体１２２の境界部において、特に強く接着力が作用する。
しかし、本実施の形態では、傾斜部１２４ａ、１２４ｂによって、つまみ部１２３ａ、１２３ｂに近づくにつれて徐々に接着面積が小さくなるように構成されているので、最も剥がす力が必要な剥離を開始する部分の接着面積が小さく、利用者が剥がし易い構成となっている。
また、つまみ部１２３ａ、１２３ｂとラベル本体１２２とは傾斜部１２４ａ、１２４ｂによって略直線で結ばれているので、つまみ部１２３ａ、１２３ｂを利用者がつまんで剥がす際に加わる力が、ラベル本体１２２の一部に応力として集中されることなく分散されるのでラベル１２０の一部の切断等が生じるのを未然に防止することができる。
【００２４】
また、図２のラベル本体１２２の右側のつまみ部１２３ａ側にはラベル１２０の剥離を止める剥離防止部である例えば、切り込みで形成されるスリット部１３０ａ、１３０ｂがラベル１２０側縁から中央に向かうよう形成されている。具体的には、図２に示すように、スリット部１３０ａ、１３０ｂには、本体スリット部１３１ａ、１３１ｂが形成されている。
すなわち、図３に示すように、利用者がつまみ部１２３ｂをつまんでラベル１２０を剥離させても、その剥離部分がスリット部１３０ａ、１３０ｂに到達すると、スリット部１３０ａ、１３０ｂの近傍に形成される残存部１２７ａ、１２７ｂが剥離されずに残る構成となっている。
このように、残存部１２７ａ、１２７ｂがアンカー状に剥離せずに残るため、このスリット部１３０でラベル１２０の剥離が止まる構成となっている。
【００２５】
また、図２に示すように、このスリット部１３０ａ、１３０ｂの右側のつまみ部１２３ａ側の端部近傍には剥離力回避部であり回避スリット部である例えば、湾曲スリット部１３２ａ、１３２ｂが形成されている。この湾曲スリット部１３２ａ、１３２ｂは、図２に示すように湾曲形状となっており、湾曲スリット部１３２ａ、１３２ｂの終端部１３３ａ、１３３ｂは、図２に示すように本体スリット部１３１ａ、１３１ｂに向かって臨むように配置されている。
また、湾曲スリット部１３２ａ、１３２ｂは、図２に示すようにラベル本体１２２の取出口１１１に相当する取出口相当部１２６と右側のつまみ部１２３ａとの間の領域である例えば、スリット形成領域１２５に位置するよう形成される。
【００２６】
図２に示す湾曲スリット部１３２ａ、１３２ｂが本体スリット部１３１ａ、１３１ｂに連接して形成されていることで、図３に示すように利用者がつまみ部１２３ｂをつまんでラベル１２０を剥離し、図２の本体スリット部１３１ａ、１３１ｂまで剥離が進むと、通常は本体スリット部１３１ａ、１３１ｂで剥離が止まる。しかし、利用者が少し強い力でラベル１２０を剥離させると、剥離が本体スリット部１３１ａ、１３１ｂで止まらず、本体スリット部１３１ａ、１３１ｂのスリットを乗り越えてラベル１２０を引き裂く方向（図２の右方向）にラベル１２０を切断する恐れがあり、その場合にはラベル１２０が容器本体１１０から完全に外れてしまうことになってしまう。
しかし、本実施の形態では、図２に示すように本体スリット部１３１ａ、１３１ｂには湾曲スリット部１３２ａ、１３２ｂが形成され、この湾曲スリット部１３２ａ、１３２ｂは上述のラベル１２０の剥離方向（図２の右方向）と逆方向（図２の左方向）に剥離力を導き、剥離に際し加えられた力を分散する構成となっている。このため、剥離に際し加えられた力で、ラベル１２０を切断等することを未然に防止することができ、ラベル１２０を破損等することなく、長期間使用することができる。
また、ラベル１２０に、切り込みからなるスリット部１３０ａ、１３０ｂを形成することでラベル１２０の破壊等を防止することができるので、ウェットティシュ容器１００の製造時の廃棄部品が生ぜず、製造効率の高い構成となっている。
【００２７】
また、図２に示すように、ラベル１２０上には、ラベル１２０の図において左右のつまみ部１２３ａ、１２３ｂをそれぞれ利用者にたいして左右側に配置するための標識部である例えば、人の絵柄等からなる識別マーク１４０が配置されている。識別マーク１４０は、左右両側のつまみ部１２３ａ、１２３ｂを結んだ左右仮想線１０１に直交する上下仮想線１０２において上下を識別する構成となっている。具体的には、例えば図２に示すように人の絵で上下を識別する構成となっている。なお、識別マーク１４０は人の絵柄だけでなく、様々な絵柄、文字、記号等によって構成することができる。
そして、識別マーク１４０の上下方向、図２では人の絵の頭を上に配置したときに、スリット１３０が形成されている側のつまみ部１２３ａが利用者の右側に配置される構成となっている。
【００２８】
本実施の形態に係るウェットティシュ容器１００は以上のように構成されているが、以下、ウェットティシュ容器１００の使用方法等について説明する。図１に示す、ウェットティシュ容器１００は、ハードケースから成るウェットティシュ容器（図示せず）内に詰替用として配置する場合と、ウェットティシュ容器１００単独で携帯用として使用する場合がある。そして、本実施の形態に係るウェットティシュ容器１００は、それら異なる用途に共通して使用できる構成となっている。
（ウェットティシュ容器１００単独で使用する場合）
ウェットティシュ容器１００は上述のようにフィルム状部材でなる袋状の容器本体１１０を有しているため、ウェットティシュ容器１００の収納場所に応じて容器本体１１０を変形等させること可能となっている。このため、ハードケース等からなるウェットティシュ容器より嵩張らず携帯し易い構成となっている。
このようにウェットティシュ容器１００を単独で使用する場合、利用者は、図２に示す識別マーク１４０を視認して、識別マーク１４０である人の頭が上に所在するようにウェットティシュ容器１００を配置する。すると、図２に示すようにラベル１２０に形成されたスリット部１３０ａ、１３０ｂが利用者の右側に配置されることになる。
【００２９】
次に、利用者は右手の指で図２の左側に配置されているつまみ１２３ｂをつまんで右側のつまみ１２３ａの方向にラベル１２０を容器本体１１０から離間させつつ移動させる。このとき、上述のようにつまみ部１２３ｂの内側には接着層１２１ａが形成されていないため利用者がつまみ易い構成となっている。また、つまみ部１２３ｂに連接して図１に示すように傾斜部１２４ｂが形成されているので、利用者がラベル１２０を剥がし易い構成となっていると共に、ラベル１２０の一部分に大きな応力等が偏在して作用しない構成となっているので、ラベル１２０が破断等し難くされた構成となっている。
【００３０】
次に、ラベル１２０の剥離が進み、図３に示すようにスリット部１３０ａ、１３０ｂの本体スリット部１３１ａ、１３１ｂまで進むと、図３の残存部１２７ａ、１２７ｂが剥離されないことでラベル１２０の剥離が止められることになる。また、剥離に際し、利用者の力が強く、更に、剥離が進んでも、その剥離の力は、図２の湾曲スリット部１３２ａ、１３２ｂによって方向が円弧状に変化させられ、湾曲スリット部１３２ａ、１３２ｂで止められる。また、湾曲スリット部１３２ａ、１３２ｂに連接した終端部１３３ａ、１３３ｂでは、スリット部１３０ａ、１３０ｂは剥離と逆方向である、図２の左側へと向くことになっている。
このため、このスリット部１３０ａ、１３０ｂによって剥離は確実に止められることになる。このとき、この湾曲スリット部１３２ａ等が存在しないと、図２の本体スリット部１３１ａ等でラベル１２０が裂けて、そのまま、図２の右方向に裂け目が形成され、ラベル１２０の破損等が生じる危険がある。しかし、本実施の形態では湾曲スリット部１３１ａ等の存在により係るラベル１２０の破損等を有効に防止することができる。
【００３１】
また、多くの利用者は右利きであるため、図２の繰り返し開閉するに当って、ラベル１２０を開く際に、左側から右側へラベル１２０を剥がすほうが剥がし易い。そこで、ウェットティシュ容器１００には、識別マーク１４０が形成され、この識別マーク１４０に沿った方向に配置することで、最も剥が易い位置につまみ部１２３ｂが配置されるように成っており、左手でウェットティシュを取り出すことができる。
また、後述のようにつまみ部１２３ａをつまんでつまみ部１２３ｂ方向に向かって剥がす際には、スリット部１３０ａ、１３０ｂが作用しない構成となっているので、繰り返し開閉する利用者が誤ってラベル１２０を剥がしてしまうことを未然に防ぐ機能も果たしている。
ところで、図３に示すように利用者によって、スリット部１３０ａ、１３０ｂまで剥がされたラベル１２０は、容器本体１１０の取出口１１１全体を露出させることになり、利用者は内部のウェットティシュを引き出して使用することになる。
【００３２】
使用後、利用者はつまみ部１２３ｂをつまんで、つまみ部１２３ｂを元の位置に戻すが
、そのとき、ラベル１２０は容器本体１１０上から完全に剥離されていないので、精度良くラベル１２０を元の位置に戻すことができる。すなわち、ラベル１２０を取出口１１１に対して正確に位置決めして配置することができるので、ラベル１２０の配置の間違いにより、容器本体１１０内部のウェットティシュが乾燥等することを未然に防止することができる。
このようにラベル１２０はウェットティシュ容器１００の取出口１１１の蓋として機能させることができる。
【００３３】
このように、右利きの利用者にとって、図２の左側から右側へ右手の親指と人差し指でラベル１２０を開き、左手で容器本体１１０内にウェットティシュを取り出すことができるので操作性の良いウェットティシュ容器１００と成っている。
なお、このようにラベル１２０を繰り返し開閉するウェットティシュ容器１００の使用方法は、携帯時のように単独で使用する際だけでなく、ウェットティシュの加温機能を有する等、ハードケースからなるウェットティシュ容器の構成によっては、他のハードケース等の容器と組み合せて使用するよう構成されていてもよい。
また、取出口１１１には、ウェットティシュを取り出しやすくするための抵抗手段として、取出口１１１の開口形状を瓢箪型にする等、凹凸形状としてもよく、他の抵抗手段が形成された成形シートを取出口１１１に配置してもよい。
【００３４】
（ハードケースから成るウェットティシュ容器内に詰替用として配置する場合）
この場合は、ウェットティシュ容器１００は、蓋付きのハードケースから成るウェットティシュ容器内に収容されるので、収容された後、ウェットティシュ容器１００のラベル１２０は不要となる。
利用者は、図２に識別マーク１４０の頭を上にするようにウェットティシュ容器１００を配置する。すると、左手でウェットティシュ容器１１０を保持して、右利きの利用者は右側であるつまみ部１２３ａをつまんで、左側であるつまみ部１２３ｂの方向へラベル１２０を剥離させることになる。このとき、剥離方向（右方向）に沿って本体スリット部１３１ａ、１３１ｂが形成されていないため、スリット部１３０ａ、１３０ｂが機能することなくラベル１２０は剥離されることになる。
また、つまみ部１２３ａ側にも傾斜部１２４ａが形成されているので、ラベル１２０を剥離し易い構成となっている。そして、利用者が剥離を進めするとラベル１２０全体を容易に取り外すことができる。そして、ラベル１２０が配置されていないウェットティシュ容器１００を別のハードケースのウェットティシュ容器内に収容することで、ウェットティシュ容器１００のラベル１２０が、ハードケースのウェットティシュ容器からウェットティシュを取り出す際の妨げ等になることを未然に防ぐことができる。
【００３５】
このように、利用者が識別マーク１４０を視認して上下を定めることで、ウェットティシュ容器１００を単独で使用する場合及びウェットティシュ容器１００を詰替用として利用者する場合の両者に対応することができ、特に、識別マーク１４０が形成されていることで、利用者が誤った方向で使用することを未然に防ぐことができる。
【００３６】
ところで、図４は、図２のスリット部１３０ａ、１３０ｂ近傍の概略部分拡大図である。図４に示すように湾曲スリット部１３２ａ、１３２ｂの終端部１３３ａ、１３３ｂは、本体スリット部１３１ａ、１３１ｂに向かって臨むように配置されている。このため、上述のラベル１２０をつまみ部１２３ａから剥がして取り外す際、利用者の剥がす力が終端部１３３ａ、１３３ｂから逆側のつまみ部１２３ｂ（図４の左側）方向へ作用する。そして、終端部１３３ａ等と本体スリット部１３１ａ等を結ぶように切断線（図４の仮想切断線１０３）が形成されることがある。
すなわち、残存部１２７ａ、１２７ｂに対応した、図４の本体スリット部１３１ａ等、湾曲スリット部１３２ａ等及び仮想切断線１０３で囲まれた部分（図４の斜線部分）が容器本体１１０上に残ることになる。
しかし、この残された部分は、図４に示すように極僅かな部分となるので、その後のウェットティシュ容器１００の使用の妨げとなることがない。
このように、湾曲スリット部１３２ａ等の終端部１３３ａ等の位置を本体スリット部１３１ａ等に向かって臨むように配置することで、ラベル１２０を取り外した後に残る、ラベル１２０の残り部分を小さくするように精度良く制御することができる。
すなわち、ラベル１２０にスリット部１３０ａ等を形成することで生じるおそれがある、ラベル１２０の剥がし残り、そして、この剥がし残りによる、その後のウェットティシュ容器１００に使用の妨げが生じない構成となっている。
以上にように本実施の形態のウェットティシュ容器１００によれば、ラベル１２０を取り除く場合は、取り外し易くなっていると共に、ラベル１２０を取出口１１１の蓋として使用する際には、精度良く取出口１１１を覆う構成となっている。
【００３７】
（第２の実施の形態）
図５は、第２の実施の形態を示すウェットティシュ容器３００の要部を示す概略図である。本実施の形態のウェットティシュ容器３００の多くの構成は、第１の実施の形態ウェットティシュ容器１００の構成と共通するため、共通する部分は同一符号とし、以下相違点を中心に説明する。
本実施の形態のウェットティシュ容器３００はつまみ部３２３ａ、３２３ｂが、第１の実施の形態と異なり、ラベル本体３２２から角度を変えて形成されておらず、ラベル本体３２２の外形線の延長上に形成されている。このため、利用者がつまみ部３２３ａ、３２３ｂをつまんでラベル３２０を剥離させるとき、つまみ部３２３ａ等とラベル本体３２２との境界部に応力が集中することをより回避することができ、ラベル１２０の部分的切断等を防止することができる。
【００３８】
また、ウェットティシュ容器３００のスリット部３３０は、ラベル１２０側縁には接触しない独立した構成とされた略Ｕ字状に２カ所に配置されている。そして、それぞれのスリット部３３０には、本体スリット部３３１ａ、３３１ｂがそれぞれＵ字状に閉ざされた部分から平行に２本のスリットが伸びるよう配置されている。さらに、本体スリット部３３１ａ、３３１ｂに連接された湾曲スリット部３３２ａ、３３２ｂが、略Ｕ字状とされた各スリット部３００の内側に湾曲し、終端部３３３ａ、３３３ｂが本体スリット部３３１ａ、３３１ｂに向かうよう形成されている。このため、利用者がつまみ部３２３ｂをつまんでラベル３２０を蓋として使用する際は、残存部３２７ａ、３２７ｂが独立して残存することとなり、ラベル３２０の剥離防止機能がより強力に作用するので、利用者が誤ってラベル３２０を取り外してしまうのをより有効に防止することができる。また、つまみ部３２３ａを把持してラベル１２０を取り外す場合に、終端部３３３ａ、３３３ｂからＵ字状とされた本体スリット部３３１ａ、３３１ｂに向かって裂けるため、ラベル１２０が不要に裂けてしまうことを防ぐことができる。
【００３９】
（第３の実施の形態）
図６は、第３の実施の形態を示すウェットティシュ容器４００の要部を示す概略図である。本実施の形態のウェットティシュ容器４００の多くの構成は、第１の実施の形態ウェットティシュ容器１００の構成と共通するため、共通する部分は同一符号とし、以下相違点を中心に説明する。
本実施の形態のウェットティシュ容器４００を示す概略図である。本実施の形態では第１の実施の形態のウェットティシュ容器１００と異なり、スリット部４３０ａ等には湾曲スリット部１３２ａ等が形成されておらず、その代わりに貫通孔である孔４３２ａ、４３２ｂが形成されている。このため、孔４３２ａ、４３２ｂによって力を分散させてラベル１２０の破断を防げるだけでなく、つまみ部４２３ａを利用者がつまんでラベル４２０を取り外すときも、第１の実施の形態の図４の斜線部のようにラベル４２０の一部が容器本体４１０上に残ることがない。したがって、その後のウェットティシュ容器４００に使用についてラベル４２０の取り残しが妨げになることを完全に回避することができる。
また、本実施の形態ではつまみ部４２３ｂとつまみ部４２３ａの形状が異なる。すなわち、つまみ部４２３ｂの方がつまみ部４２３ａより小さく形成されている。このため、利用者は、ラベル４２０の剥離方向をつまみ部４２３ａ等の大きさや形状等によって区別することができるので、誤って逆のつまみ部４２３ａ等を操作することを防止することができる。
【００４０】
（第４の実施の形態）
図７は、第４の実施の形態を示すウェットティシュ容器５００の要部を示す概略図である。本実施の形態のウェットティシュ容器５００の多くの構成は、第１の実施の形態ウェットティシュ容器１００の構成と共通するため、共通する部分は同一符号とし、以下相違点を中心に説明する。
本実施の形態のウェットティシュ容器５００は、ラベル本体５２２の長手方向の一端側に形成される接着層１２１ａの非配置領域である第１の保持部である例えば、つまみ部５２３ｂが配置されている。このつまみ部５２３ｂは、図５に示す第２の実施の形態のつまみ部３２３ｂと同様に配置されている。また、このつまみ部５２３ｂに連接して開閉案内部である傾斜部５２４が形成されている。この傾斜部５２４は図１の傾斜部１２４ｂ等と同様の機能を発揮するものである。また、剥離防止部である例えばスリット部１３０ａ、１３０ｂが図２と同様に形成されている。
【００４１】
また、ラベル本体５２２の他端側である図７の右側には、つまみ部５２３ｂ中央からスリット部１３０ａ、１３０ｂの中間領域を通る、長手方向に沿った第１の剥離方向１０４と交わる方向の第２の剥離方向１０５を形成するように、ラベル５２０を開放するための、つまみ部として機能する接着層の非配置領域である第２の保持部である例えば、つまみ部５２３ａが形成されている。ここでは、つまみ部５２３ａはつまみ部５２３ｂと逆側の端部における角部に配置されている。
このようにつまみ部５２３ａが形成されているため、利用者がラベル５２０を取り外すとき、ラベル５２０の剥離方向（第２の剥離方向１０５）がスリット部１３０ａ、１３０ｂが機能する方向（第１の剥離方向１０４）に対して斜めとなるため、スリット部１３０ａ等を機能させることなく円滑にラベル５２０を剥がすことができる。したがって、第１の実施の形態のラベル１２０より、より剥がし易い構成となっている。
また、本実施の形態ではつまみ部５２３ａは、ラベル本体５２２の角部に形成されているので、ラベル本体５２２の角部がつまみ部５２３ａを兼ねている。このため、ラベル本体５２２に、図２に示すように、つまみ部をさらに形成する必要がないだけでなく、つまみ部５２３ａに隣接するラベル本体５２２の各辺が傾斜部として機能するため、つまみ部５２３ａを把持して開閉しやすい構成とされている。
【００４２】
（第４の実施の形態の変形例）
図８は、第４の実施の形態の変形例であるウェットティシュ容器６００の要部を示す概略図である。本実施の形態のウェットティシュ容器６００の多くの構成は、第４の実施の形態ウェットティシュ容器６００の構成と共通するため、共通する部分は同一符号とし、以下相違点を中心に説明する。
本変形例のウェットティシュ容器６００は、第１の保持部である例えば、つまみ部６２３ｂと第２の保持部である例えば、つまみ部６２３ａが形成されている。つまみ部６２３ａは、ラベル本体６２２の図において上端部に形成され短辺方向の上方に向けて突出して形成されている。また、スリット部６３０ａ、６３０ｂは、図において略Ｕ字状に形成されており、第２のつまみ部６２３ａに開放端が配置されるよう形成されている。
すなわち、つまみ部６２３ｂ略中央からスリット部６３０ａ、６３０ｂの略中央領域にかけて長手方向に沿って形成される第１の剥離方向１０６と略直角に交わるように、つまみ部６２３ａの剥離方向である第２の剥離方向１０７が形成されている。したがって、利用者はラベル６２０を取り除くために剥離するときは、第４の実施の形態と同様に、スリット部６３０ａ等を機能させることなく円滑にラベル６２０を剥がすことができる。
【００４３】
本発明は、上述の各実施の形態に限定されない。例えば、スリット部１３０ａ等は、それぞれ２カ所形成されているが、これに限らず、スリット部１３０ａが１カ所や３ヶ所であってもよい。
また、剥離防止部を切り込みからなるスリットで形成するのではなく、スリット形成領域１２５における接着層のみに、ラベルの取り外し時の方向は接着力が弱く、ラベルを繰り返し開閉する際の方向は接着力が強い、指向性を有する接着剤を設けてもよい。
なお、上述の各実施の形態は、相互に組み合わせて構成するようにしてもよい。
【図面の簡単な説明】
【００４４】
【図１】本発明の第１の実施の形態に係るウェットティシュ容器を示す概略斜視図である。
【図２】図１のウェットティシュ容器の概略平面図である。
【図３】ウェットティシュ容器を示す他の概略斜視図である。
【図４】図２のスリット部の概略部分拡大図である。
【図５】第２の実施の形態を示すウェットティシュ容器の要部を示す概略図である。
【図６】第３の実施の形態を示すウェットティシュ容器の要部を示す概略図である。
【図７】第４の実施の形態を示すウェットティシュ容器の要部を示す概略図である。
【図８】第４の実施の形態の変形例であるウェットティシュ容器の要部を示す概略図である。
【符号の説明】
【００４５】
１００、２００、３００、４００、５００、６００・・・ウェットティシュ容器、１０１・・・左右仮想線、１０２・・・上下仮想線、１０３・・・仮想切断線、１０４、１０６・・・第１の剥離方向、１０５、１０７・・・第２の剥離方向、１１０、２１０、３１０、４１０、５１０・・・容器本体、１１１、２１１・・・取出口、１２０、２２０、３２０、４２０、５２０、６２０・・・ラベル、１２１・・・内側面、１２１ａ・・・接着層、１２２、３２２、５２２、６２２・・・ラベル本体、１２３ａ、１２３ｂ、３２３ａ、３２３ｂ、４２３ａ、４２３ｂ、５２３ａ、５２３ｂ、６２３ａ、６２３ｂ・・・つまみ部、１２４ａ、１２４ｂ、５２４・・・傾斜部、１２５・・・スリット形成領域、１２６・・・取出口相当部、１２７ａ、１２７ｂ・・・残存部、１３０ａ、１３０ｂ、３３０ａ、３３０ｂ、４３０ａ、４３０ｂ、６３０ａ、６３０ｂ・・・スリット部、１３１ａ、１３１ｂ、３３１ａ、３３１ｂ、４３１ａ、４３１ｂ・・・本体スリット部、１３２ａ、１３２ｂ、３３２ａ、３３２ｂ・・・湾曲スリット部、１３３ａ、１３３ｂ・・・終端部、４２３ａ、４２３ｂ・・・孔、１４０・・・識別マーク、２１１ａ・・・ミシン目。
【図１】
2005178844.tif 000003
【図２】
2005178844.tif 000004
【図３】
2005178844.tif 000005
【図４】
2005178844.tif 000006
【図５】
2005178844.tif 000007
【図６】
2005178844.tif 000008
【図７】
2005178844.tif 000009
【図８】
2005178844.tif 000010